Podtech/llm-jp-corpus-v4-ja_patent huggingface dataset:
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
撮影手段と、
表示手段と、
前記撮影手段により撮影された画像中の被写体像に対し合焦する合焦手段と、
前記撮影手段により撮影されている画像と当該画像における前記合焦手段により合焦された被写体像に重畳させるようにフォーカスエリアとを前記表示手段に表示させるよう制御する表示制御手段と、
前記表示制御手段による表示中に、前記合焦手段による合焦位置の固定指示を検出する指示検出手段と、
前記指示検出手段により合焦位置の固定指示が検出されたときの前記フォーカスエリアの表示位置に対応する被写体像の位置の情報を取得する取得手段と、
前記取得手段による被写体の位置の取得後に、当該被写体の位置の変化量を算出する算出手段と、
前記算出手段により算出された被写体像の位置の変化量に基づき、前記取得手段により取得された被写体像の位置の情報を補正する補正手段と、
を備えることを特徴とする撮影装置。
【請求項２】
前記補正手段により補正された被写体像の位置の情報を記録手段に記録させる記録制御手段を更に備えることを特徴とする請求項１記載の撮影装置。
【請求項３】
前記合焦手段により被写体像に対し合焦すべき指示を検出する第１の指示検出手段と、
前記記録制御手段により補正された被写体像の位置が記録手段に記録された後、当該被写体像を記録すべき指示を第２の指示検出手段とを更に備え、
前記合焦手段は、第１の指示検出手段により検出された指示が検出されると、前記被写体像に合焦することを特徴とする請求項２記載の撮影装置。
【請求項４】
加速度センサを更に備え、
前記算出手段は、
前記加速度センサから出力される検出信号に基づき、前記被写体像の位置の変化量を算出することを特徴とする請求項１乃至３のいずれか記載の撮影装置。
【請求項５】
撮影手段と、前記撮影手段により撮影される被写体像に対し合焦する合焦手段とを備える撮影装置のコンピュータを、
前記撮影手段により撮影されている画像と当該画像における前記合焦手段により合焦された被写体像に重畳させるようにフォーカスエリアとを表示手段に表示させるよう制御する表示制御手段、
前記表示制御手段による表示中に、前記合焦手段による合焦位置の固定指示を検出する指示検出手段、
前記指示検出手段により合焦位置の固定指示が検出されたときの前記フォーカスエリアの表示位置に対応する被写体像の位置の情報を取得する取得手段、
前記取得手段による被写体の位置の取得後に、当該被写体の位置の変化量を算出する算出手段、
前記算出手段により算出された被写体像の位置の変化量に基づき、前記取得手段により取得された被写体像の情報を補正する補正手段、
として機能させることを特徴とするプログラム。
【手続補正２】
【補正対象書類名】明細書
【補正対象項目名】０００８
【補正方法】変更
【補正の内容】
【０００８】
上記課題を解決するため、請求項１の発明にあっては、
撮影手段と、
表示手段と、
前記撮影手段により撮影された画像中の被写体像に対し合焦する合焦手段と、
前記撮影手段により撮影されている画像と当該画像における前記合焦手段により合焦された被写体像に重畳させるようにフォーカスエリアとを前記表示手段に表示させるよう制御する表示制御手段と、
前記表示制御手段による表示中に、前記合焦手段による合焦位置の固定指示を検出する指示検出手段と、
前記指示検出手段により合焦位置の固定指示が検出されたときの前記フォーカスエリアの表示位置に対応する被写体像の位置の情報を取得する取得手段と、
前記取得手段による被写体の位置の取得後に、当該被写体の位置の変化量を算出する算出手段と、
前記算出手段により算出された被写体像の位置の変化量に基づき、前記取得手段により取得された被写体像の位置の情報を補正する補正手段と、
を備えるものとした。
【手続補正３】
【補正対象書類名】明細書
【補正対象項目名】０００９
【補正方法】変更
【補正の内容】
【０００９】
また、請求項２の発明にあっては、
前記補正手段により補正された被写体像の位置の情報を記録手段に記録させる記録制御手段を更に備えるものとした。
また、請求項３の発明にあっては、
前記合焦手段により被写体像に対し合焦すべき指示を検出する第１の指示検出手段と、
前記記録制御手段により補正された被写体像の位置が記録手段に記録された後、当該被写体像を記録すべき指示を第２の指示検出手段とを更に備え、
前記合焦手段は、第１の指示検出手段により検出された指示が検出されると、前記被写体像に合焦するものとした。
また、請求項４の発明にあっては、
加速度センサを更に備え、
前記算出手段は、
前記加速度センサから出力される検出信号に基づき、前記被写体像の位置の変化量を算出するものとした。
【手続補正４】
【補正対象書類名】明細書
【補正対象項目名】００１０
【補正方法】変更
【補正の内容】
【００１０】
また、請求項５の発明にあっては、
撮影手段と、前記撮影手段により撮影される被写体像に対し合焦する合焦手段とを備える撮影装置のコンピュータを、
前記撮影手段により撮影されている画像と当該画像における前記合焦手段により合焦された被写体像に重畳させるようにフォーカスエリアとを表示手段に表示させるよう制御する表示制御手段、
前記表示制御手段による表示中に、前記合焦手段による合焦位置の固定指示を検出する指示検出手段、
前記指示検出手段により合焦位置の固定指示が検出されたときの前記フォーカスエリアの表示位置に対応する被写体像の位置の情報を取得する取得手段、
前記取得手段による被写体の位置の取得後に、当該被写体の位置の変化量を算出する算出手段、
前記算出手段により算出された被写体像の位置の変化量に基づき、前記取得手段により取得された被写体像の情報を補正する補正手段、
として機能させるプログラムとした。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
被写体を撮像するデジタルカメラと、前記デジタルカメラとの間で無線通信可能な外部編集装置とから成る画像編集システムにおいて、
前記デジタルカメラは、前記被写体を撮像する撮像部と、
前記撮像部の出力信号に基づいて第１の画像データと前記第１の画像データよりもデータ量の多い第２の画像データとを生成する画像生成部と、
前記画像生成部により生成された前記第１の画像データを表示可能とする第１の表示部と、
少なくとも前記画像生成部により生成された前記第１の画像データを前記外部編集装置に向けて送信する第１の送信部と、
前記外部編集装置から送信された画像編集に関する情報を受信する第１の受信部と、
前記第１の受信部により受信された前記画像編集情報に基づいて前記第２の画像データに対して編集処理を施す第１の画像処理手段と、
を具備し、
前記外部編集装置は、前記第１の送信部から送信された前記第１の画像データを受信する第２の受信部と、
前記第１の表示部よりも大きな表示画面を有し、前記第２の受信部により受信された前記第１の画像データを表示する第２の表示部と、
前記第２の表示部に表示されている前記第１の画像データに対して編集指示を行うための指示部と、
前記指示部により指示された前記編集指示に従って前記第２の表示部に表示されている前記第１の画像データに対して編集処理を施す第２の画像処理部と、
前記指示部により指示された前記編集指示の情報を前記デジタルカメラに向けて送信する第２の送信部と、
を具備することを特徴とする画像編集システム。
【請求項２】
被写体を撮像する撮像部と、
前記撮像部の出力信号に基づいて第１の画像データと当該第１の画像データよりもデータ量の多い第２の画像データとを生成する画像生成部と、
前記第１の画像データを画像編集の対象画像として外部編集装置に向けて無線通信にて送信する送信部と、
前記外部編集装置で実行された画像編集の内容を表す画像編集情報を前記外部編集装置から無線通信にて受信する受信部と、
前記受信部を介して受信した前記画像編集情報に基づいて前記第２の画像データに対して編集処理を施す画像処理手段と、
を具備することを特徴とするデジタルカメラ。
【請求項３】
デジタルカメラから送信された画像データを受信する受信部と、
前記受信部により受信された前記画像データに対して編集指示を行うための指示部と、
前記編集指示に従って前記画像データに対して編集処理を施す画像処理部と、
前記編集処理の内容を表す画像編集情報を前記デジタルカメラに向けて送信する送信部と、
を具備することを特徴とする外部編集装置。
【手続補正２】
【補正対象書類名】明細書
【補正対象項目名】０００８
【補正方法】変更
【補正の内容】
【０００８】
本発明の主要な局面に係るデジタルカメラは、被写体を撮像する撮像部と、撮像部の出力信号に基づいて第１の画像データと当該第１の画像データよりもデータ量の多い第２の画像データとを生成する画像生成部と、第１の画像データを画像編集の対象画像として外部編集装置に向けて無線通信にて送信する送信部と、外部編集装置で実行された画像編集の内容を表す画像編集情報を外部編集装置から無線通信にて受信する受信部と、受信部を介して受信した画像編集情報に基づいて第２の画像データに対して編集処理を施す画像処理手段とを具備する。
【手続補正３】
【補正対象書類名】明細書
【補正対象項目名】０００９
【補正方法】変更
【補正の内容】
【０００９】
本発明の主要な局面に係る外部編集装置は、デジタルカメラから送信された画像データを受信する受信部と、受信部により受信された画像データに対して編集指示を行うための指示部と、編集指示に従って画像データに対して編集処理を施す画像処理部と、編集処理の内容を表す画像編集情報をデジタルカメラに向けて送信する送信部とを具備する。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
撮像信号を生成する撮像素子において補正対象となる欠陥画素を決定する欠陥画素検出装置であって、
補正対象の欠陥画素の優先度を格納する欠陥情報保存手段と、
前記撮像素子からの撮像信号のレベルと所定の検出レベルとを比較して欠陥画素を検出する欠陥画素検出手段と、
前記欠陥画素検出手段で検出された欠陥画素の撮像信号のレベルに基づいて前記検出された欠陥画素の優先度を設定する優先度設定手段と、
前記欠陥画素検出手段で検出された欠陥画素と前記欠陥情報保存手段に格納されている補正対象の欠陥画素の中から、各欠陥画素の優先度に基づいて新たに補正対象となる欠陥画素を決定し、かつこの新たな補正対象の欠陥画素の優先度を決定し、前記欠陥情報保存手段にこの新たな補正対象の欠陥画素の優先度を保存する補正対象決定手段と、
を備える欠陥画素検出装置。
【請求項２】
前記補正対象決定手段は、新たに補正対象の欠陥画素および優先度を決定する際、前記欠陥画素検出手段で検出された欠陥画素と前記欠陥情報保存手段に格納されている補正対象の欠陥画素を優先度順に並べ、優先度が等しい画素については前記欠陥画素検出手段で検出された欠陥画素の優先度を高くするように並べ、優先度が高いほうから所定数を新たに補正対象の欠陥画素とする、
請求項１記載の欠陥画素検出装置。
【請求項３】
前記補正対象決定手段で決定された新たな補正対象の欠陥画素に対して補正処理を行う補正手段を備える、
請求項１または２に記載の欠陥画素検出装置。
【請求項４】
撮像信号を生成する撮像素子と、
前記請求項１から３の何れかに記載の欠陥画素検出装置と、
を備える撮像装置。
【請求項５】
撮像信号を生成する撮像素子において補正対象となる欠陥画素を決定する欠陥画素検出方法であって、
補正対象の欠陥画素の優先度を格納する欠陥情報保存工程と、
前記撮像素子からの撮像信号のレベルと所定の検出レベルとを比較して欠陥画素を検出する欠陥画素検出工程と、
前記欠陥画素検出工程で検出された欠陥画素の撮像信号のレベルに基づいて前記検出された欠陥画素の優先度を設定する優先度設定工程と、
前記欠陥画素検出工程で検出された欠陥画素と前記欠陥情報保存工程に格納されている補正対象の欠陥画素の中から、各欠陥画素の優先度に基づいて新たに補正対象となる欠陥画素を決定し、かつこの新たな補正対象の欠陥画素の優先度を決定し、前記欠陥情報保存工程にこの新たな補正対象の欠陥画素の優先度を保存する補正対象決定工程と、
を含む欠陥画素検出方法。
【手続補正２】
【補正対象書類名】明細書
【補正対象項目名】発明の名称
【補正方法】変更
【補正の内容】
【発明の名称】欠陥画素検出装置、撮像装置、および欠陥画素検出方法
【手続補正３】
【補正対象書類名】明細書
【補正対象項目名】００１１
【補正方法】変更
【補正の内容】
【００１１】
前記従来の課題を解決するために、本発明の欠陥画素検出装置は、撮像信号を生成する撮像素子において補正対象となる欠陥画素を決定する欠陥画素検出装置であって、補正対象の欠陥画素の優先度を格納する欠陥情報保存手段と、前記撮像素子からの撮像信号のレベルと所定の検出レベルとを比較して欠陥画素を検出する欠陥画素検出手段と、前記欠陥画素検出手段で検出された欠陥画素の撮像信号のレベルに基づいて前記検出された欠陥画素の優先度を設定する優先度設定手段と、前記欠陥画素検出手段で検出された欠陥画素と前記欠陥情報保存手段に格納されている補正対象の欠陥画素の中から、各欠陥画素の優先度に基づいて新たに補正対象となる欠陥画素を決定し、かつこの新たな補正対象の欠陥画素の優先度を決定し、前記欠陥情報保存手段にこの新たな補正対象の欠陥画素の優先度を保存する補正対象決定手段と、を備える。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
撮像動作に係る設定内容に対応する指標を表示する表示手段と、
この表示手段における表示画面上に設けられ、前記表示手段に表示された指標に対する外部からの接触を検出する接触検出手段と、
この接触検出手段によって前記指標への接触が検出されると、この指標に対応する設定内容の設定項目について変更する変更手段と、
撮像手段と、
この撮像手段によって撮像される画像の記録準備期間か否かを判断する判断手段と、
この判断手段により記録準備期間と判断すると、前記表示手段に表示された指標を非表示とすることで、前記接触検出手段による検出を無効化する無効化手段と、
を備えることを特徴とする撮像装置。
【請求項２】
外部からの接触を検出する接触検出部を有するシャッターキーを更に備え、
前記判断手段は前記記録準備期間か否かの判断を、前記接触検出部による検出の有無により判断することを特徴とする請求項１に記載の撮像装置。
【請求項３】
半押し操作と全押し操作とを識別して検出する操作検出部を有するシャッターキーを更に備え、
前記判断手段は前記記録準備期間か否かの判断を、前記操作検出部による半押し操作検出の有無により判断することを特徴とする請求項１に記載の撮像装置。
【請求項４】
前記表示手段は、前記撮像手段によって撮像されている画像を、前記指標とともに表示し、
前記表示制御手段は、前記画像を前記表示手段に表示させたまま前記指標のみを非表示とするよう制御することを特徴とする請求項１乃至３の何れかに記載の撮像装置。
【請求項５】
表示部と、この表示部に表示された指標に対する外部からの接触を検出する接触検出部とを備えた撮像装置が有するコンピュータを
前記表示部に撮像動作に係る設定内容に対応する指標を表示させる表示制御手段、
前記接触検出部によって前記指標への接触が検出されると、この指標に対応する設定内容の設定項目について変更する変更手段、
当該装置が撮像される画像の記録準備期間にあるか否かを判断する判断手段、
この判断手段により記録準備期間にあると判断すると、前記表示制御手段によって表示された指標を非表示とすることで、前記接触検出部による検出を無効化する無効化手段、
として機能させることを特徴とするプログラム。
【手続補正２】
【補正対象書類名】明細書
【補正対象項目名】発明の名称
【補正方法】変更
【補正の内容】
【発明の名称】撮像装置及びプログラム
【手続補正３】
【補正対象書類名】明細書
【補正対象項目名】０００１
【補正方法】変更
【補正の内容】
【０００１】
本発明は、撮像装置、及び、プログラムに関する。
【手続補正４】
【補正対象書類名】明細書
【補正対象項目名】０００７
【補正方法】変更
【補正の内容】
【０００７】
上記課題を解決するために、請求項１記載の発明は、
撮像動作に係る設定内容に対応する指標を表示する表示手段と、
この表示手段における表示画面上に設けられ、前記表示手段に表示された指標に対する外部からの接触を検出する接触検出手段と、
この接触検出手段によって前記指標への接触が検出されると、この指標に対応する設定内容の設定項目について変更する変更手段と、
撮像手段と、
この撮像手段によって撮像される画像の記録準備期間か否かを判断する判断手段と、
この判断手段により記録準備期間と判断すると、前記表示手段に表示された指標を非表示とすることで、前記接触検出手段による検出を無効化する無効化手段と、
を備えることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項２に記載の発明は、請求項１に記載の発明において、
外部からの接触を検出する接触検出部を有するシャッターキーを更に備え、
前記判断手段は前記記録準備期間か否かの判断を、前記接触検出部による検出の有無により判断することを特徴とする。
【手続補正７】
【補正対象書類名】明細書
【補正対象項目名】００１０
【補正方法】変更
【補正の内容】
【００１０】
請求項３に記載の発明は、請求項１に記載の発明において、
半押し操作と全押し操作とを識別して検出する操作検出部を有するシャッターキーを更に備え、
前記判断手段は前記記録準備期間か否かの判断を、前記操作検出部による半押し操作検出の有無により判断することを特徴とする。
【手続補正８】
【補正対象書類名】明細書
【補正対象項目名】００１１
【補正方法】変更
【補正の内容】
【００１１】
請求項４に記載の発明は、請求項１乃至３の何れかに記載の発明において、
前記表示手段は、前記撮像手段によって撮像されている画像を、前記指標とともに表示し、
前記表示制御手段は、前記画像を前記表示手段に表示させたまま前記指標のみを非表示とするよう制御することを特徴とする。
請求項５に記載の発明は、表示部と、この表示部に表示された指標に対する外部からの接触を検出する接触検出部とを備えた撮像装置が有するコンピュータを
前記表示部に撮像動作に係る設定内容に対応する指標を表示させる表示制御手段、
前記接触検出部によって前記指標への接触が検出されると、この指標に対応する設定内容の設定項目について変更する変更手段、
当該装置が撮像される画像の記録準備期間にあるか否かを判断する判断手段、
この判断手段により記録準備期間にあると判断すると、前記表示制御手段によって表示された指標を非表示とすることで、前記接触検出部による検出を無効化する無効化手段、
として機能させることを特徴とする。
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
撮像素子を用いて連続して撮像された画像を取得する取得手段と、
前記画像に対し、画像認識により、予め定めた被写体を継続的に検出する第１の被写体検出手段と、
前記画像のうち、前記第１の被写体検出手段が前記予め定めた被写体の検出を行う画像の間に連続して撮像された複数の画像に対し、前記第１の被写体検出手段で検出された前記被写体の領域の動きを順次検出することにより、前記被写体を検出する第２の被写体検出手段と、
前記画像に適用されるゲイン調整量もしくは前記画像を撮像する際の撮像素子の露光時間の少なくとも一方について、予め定めた条件を満たすか判別する判別手段と、
前記取得手段が取得した画像における、前記予め定めた被写体の領域を決定する決定手段とを有し、
前記決定手段が、
前記判別手段により、前記予め定めた条件を満たすと判別されている場合には前記予め定めた被写体の領域を前記第１の被写体検出手段による被写体検出結果のみに基づいて決定し、
前記判別手段により、前記予め定めた条件を満たすと判別されていない場合には前記予め定めた被写体の領域を前記第１の被写体検出手段及び前記第２の被写体検出手段による被写体検出結果に基づいて決定し、
前記予め定めた条件が、前記ゲイン調整量が予め定めた閾値を超えている、もしくは前記露光時間が予め定めた閾値より長い、であることを特徴とする撮像装置。
【請求項２】
前記ゲイン調整量が、前記画像が撮像された際の撮像感度の設定が高いほど大きくなる値であり、前記判別手段は、前記画像が撮像された際の前記撮像感度の設定が予め定めた感度の閾値を超えるか否かを判別することにより、前記ゲイン調整量が前記予め定めた条件を満たすか判別することを特徴とする請求項１記載の撮像装置。
【請求項３】
前記判別手段により、前記予め定めた条件を満たすと判別されている場合には、前記第２の被写体検出手段の動作を停止させる停止手段をさらに有することを特徴とする請求項１又は請求項２記載の撮像装置。
【請求項４】
前記第１の被写体検出手段が、前記予め定めた被写体として、人間の顔を検出することを特徴とする請求項１乃至請求項３のいずれか１項に記載の撮像装置。
【請求項５】
取得手段が、撮像素子を用いて連続して撮像された画像を取得する取得工程と、
第１の被写体検出手段が、前記画像に対し、画像認識により、予め定めた被写体を継続的に検出する第１の被写体検出工程と、
第２の被写体検出手段が、前記画像のうち、前記第１の被写体検出工程によって前記予め定めた被写体の検出を行う画像の間に連続して撮像された複数の画像に対し、前記第１の被写体検出工程で検出された前記被写体の領域の動きを順次検出することにより、前記被写体を検出する第２の被写体検出工程と、
判別手段が、前記画像に適用されるゲイン調整量もしくは前記画像を撮像する際の撮像素子の露光時間の少なくとも一方について、予め定めた条件を満たすか判別する判別工程と、
決定手段が、前記取得工程で取得された画像における被写体の領域を決定する決定工程とを有し、
前記決定工程において前記決定手段は、
前記判別工程により、前記予め定めた条件を満たすと判別されている場合には前記被写体の領域を前記第１の被写体検出工程による被写体検出結果のみに基づいて決定し、
前記判別工程により、前記予め定めた条件を満たすと判別されていない場合には前記被写体の領域を前記第１の被写体検出工程及び前記第２の被写体検出工程による被写体検出結果に基づいて決定し、
前記予め定めた条件が、前記ゲイン調整量が予め定めた閾値を超えている、もしくは前記露光時間が予め定めた閾値より長い、であることを特徴とする撮像装置の制御方法。
【請求項６】
撮像装置が有するコンピュータに、請求項５記載の撮像装置の制御方法の各工程を実行させるためのプログラム。
【手続補正２】
【補正対象書類名】明細書
【補正対象項目名】０００８
【補正方法】変更
【補正の内容】
【０００８】
上記課題を解決するため、本願発明に係る撮像装置は、撮像素子を用いて連続して撮像された画像を取得する取得手段と、画像に対し、画像認識により、予め定めた被写体を継続的に検出する第１の被写体検出手段と、画像のうち、第１の被写体検出手段が予め定めた被写体の検出を行う画像の間に連続して撮像された複数の画像に対し、第１の被写体検出手段で検出された被写体の領域の動きを順次検出することにより、被写体を検出する第２の被写体検出手段と、画像に適用されるゲイン調整量もしくは画像を撮像する際の撮像素子の露光時間の少なくとも一方について、予め定めた条件を満たすか判別する判別手段と、取得手段が取得した画像における、予め定めた被写体の領域を決定する決定手段とを有し、決定手段が、判別手段により、予め定めた条件を満たすと判別されている場合には予め定めた被写体の領域を第１の被写体検出手段による被写体検出結果のみに基づいて決定し、判別手段により、予め定めた条件を満たすと判別されていない場合には予め定めた被写体の領域を第１の被写体検出手段及び第２の被写体検出手段による被写体検出結果に基づいて決定し、予め定めた条件が、ゲイン調整量が予め定めた閾値を超えている、もしくは露光時間が予め定めた閾値より長い、であることを特徴とするものである。
【手続補正３】
【補正対象書類名】明細書
【補正対象項目名】０００９
【補正方法】変更
【補正の内容】
【０００９】
同様に、上記課題を解決するため、本願発明に係る撮像装置の制御方法は、取得手段が、撮像素子を用いて連続して撮像された画像を取得する取得工程と、第１の被写体検出手段が、画像に対し、画像認識により、予め定めた被写体を継続的に検出する第１の被写体検出工程と、第２の被写体検出手段が、画像のうち、第１の被写体検出工程によって予め定めた被写体の検出を行う画像の間に連続して撮像された複数の画像に対し、第１の被写体検出工程で検出された被写体の領域の動きを順次検出することにより、被写体を検出する第２の被写体検出工程と、判別手段が、画像に適用されるゲイン調整量もしくは画像を撮像する際の撮像素子の露光時間の少なくとも一方について、予め定めた条件を満たすか判別する判別工程と、決定手段が、取得工程で取得された画像における被写体の領域を決定する決定工程とを有し、決定工程において決定手段は、判別工程により、予め定めた条件を満たすと判別されている場合には被写体の領域を第１の被写体検出工程による被写体検出結果のみに基づいて決定し、判別工程により、予め定めた条件を満たすと判別されていない場合には被写体の領域を第１の被写体検出工程及び第２の被写体検出工程による被写体検出結果に基づいて決定し、予め定めた条件が、ゲイン調整量が予め定めた閾値を超えている、もしくは露光時間が予め定めた閾値より長い、であることを特徴とするものである。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
撮像部によって撮影された撮像データを入力する撮像データの入力手段と、
前記撮像データの露光情報を入力する露光情報の入力手段と、
前記撮像時の前記撮像部の回転振れを示す回転振れ情報を入力する回転振れ情報の入力手段と、
前記露光情報と、前記回転振れ情報が示す前記撮像部の回転角に基づき、前記撮像データの回転振れを補正する補正手段とを有することを特徴とする画像処理装置。
【請求項２】
前記補正手段は、前記露光情報と前記回転角に基づき、点像分布関数を作成する作成手段と、
前記入力された撮像データを極座標空間の画像に変換する変換手段と、
前記点像分布関数を用いて、前記極座標空間の画像をデコンボリューションする手段と、
前記デコンボリューションの結果の画像を実空間の撮像データに変換する逆変換手段とを有することを特徴とする請求項1に記載された画像処理装置。
【請求項３】
さらに、前記撮像部のシャッタを駆動し、前記露光情報を出力する駆動手段と、
前記撮像部の姿勢から前記撮像部の振れを検出し、前記回転振れ情報を出力する検出手段とを有することを特徴とする請求項1または請求項2に記載された画像処理装置。
【請求項４】
さらに、前記検出手段が検出したシフト振れ量に基づき、前記撮像データのシフト振れを補正する手段を有することを特徴とする請求項3に記載された画像処理装置。
【請求項５】
前記駆動手段は、前記シャッタの開期間において、シャッタの開閉をランダムに制御するシャッタ開ランダム制御を行うことを特徴とする請求項3または請求項4に記載された画像処理装置。
【請求項６】
撮像部によって撮影された撮像データを入力し、
前記撮像データの露光情報を入力し、
前記撮像データを撮影した際の前記撮像部の回転振れを示す回転振れ情報を入力し、
前記露光情報と、前記回転振れ情報が示す前記撮像部の回転角に基づき、前記撮像データの回転振れを補正することを特徴とする画像処理方法。
【請求項７】
コンピュータ装置を請求項1から請求項5に記載された画像処理装置の各手段として機能させるためのプログラム。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
無線ネットワークに含まれる無線端末と無線基地局とを管理する情報処理装置であって、
無線端末から該無線端末が検出した無線基地局に関連する情報を取得する取得手段と、
前記取得手段により取得した情報に基づいて、該無線端末が検出した無線基地局と、該無線基地局と無線接続している無線端末と、を対応付けて記憶する記憶手段と、
前記記憶手段により記憶された情報に基づいて、無線端末との間で無線接続されていない無線基地局を導出する導出手段と、
前記導出手段により導出された無線基地局を検出した無線端末に対し、当該無線基地局を経由したデータの送信を要求する要求手段と、
前記要求手段により要求した前記無線端末からの該無線基地局を経由したデータを受信しなかった場合に、該無線基地局を管理対象外の無線基地局として判定する判定手段と、
を有することを特徴とする情報処理装置。
【請求項２】
前記判定手段は、前記要求手段により要求した前記無線端末からの該無線基地局を経由したデータを受信できた場合に、該無線基地局を管理対象の基地局として判定することを特徴とする請求項１記載の情報処理装置。
【請求項３】
前記要求手段による要求は、前記導出手段により導出された無線基地局へ無線接続の切替え要求を含むことを特徴とする請求項１または２記載の情報処理装置。
【請求項４】
前記取得手段により無線端末から取得する無線基地局に関連する情報には、該無線端末における無線基地局からの受信信号強度を含み、
前記導出手段により導出された無線基地局を検出した複数の無線端末の中から、各無線端末における該無線基地局からの受信信号強度に基づいて、前記要求手段によるデータの送信を要求する無線端末を選択する選択手段を更に有することを特徴とする請求項１から３のいずれか１項に記載の情報処理装置。
【請求項５】
前記記憶手段により記憶される情報には、無線基地局に無線接続された無線端末の履歴を含み、
前記導出手段は、無線端末と無線接続された履歴がない無線基地局を導出することを特徴とする請求項１から４のいずれか１項に記載の情報処理装置。
【請求項６】
前記要求手段により要求した前記無線端末からの該無線基地局を経由したデータの受信に応じて、前記記憶手段により記憶された情報を更新する更新手段を更に有することを特徴とする請求項１から５のいずれか１項に記載の情報処理装置。
【請求項７】
前記記憶手段により記憶される情報から、前記判定手段により管理対象外と判定された無線基地局に関する情報を削除することを特徴とする請求項１から６のいずれか１項に記載の情報処理装置。
【請求項８】
前記取得手段による情報の取得を定期的に行うことを特徴とする請求項１から７のいずれか１項に記載の情報処理装置。
【請求項９】
無線ネットワークに含まれる無線端末と無線基地局とを管理する情報処理装置の制御方法であって、
無線端末から該無線端末が検出した無線基地局に関連する情報を取得する取得工程と、
前記取得工程において取得した情報に基づいて、該無線端末が検出した無線基地局と、該無線基地局と無線接続している無線端末と、を対応付けて記憶する記憶工程と、
前記記憶工程において記憶された情報に基づいて、無線端末との間で無線接続されていない無線基地局を導出する導出工程と、
前記導出工程において導出された無線基地局を検出した無線端末に対し、当該無線基地局を経由したデータの送信を要求する要求工程と、
前記要求工程において要求した前記無線端末からの該無線基地局を経由したデータを受信しなかった場合に、該無線基地局を管理対象外の無線基地局として判定する判定工程と、
を有することを特徴とする情報処理装置の制御方法。
【請求項１０】
請求項９記載の制御方法の各工程を前記情報処理装置内のコンピュータに実行させるためのプログラム。
【手続補正２】
【補正対象書類名】明細書
【補正対象項目名】発明の名称
【補正方法】変更
【補正の内容】
【発明の名称】情報処理装置およびその制御方法
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
読取対象の原稿からの反射光を受光する読取センサにより読み取られた読取画像を処理する画像処理装置であって、
上記読取センサを有する読取装置の原稿台上に載置されているブック原稿が、当該読取センサにより読み取られることで得られた読取画像を取得する取得手段と；
上記取得手段により取得された読取画像に基づいて、上記ブック原稿の綴じ目の方向を判定する判定手段と；
上記判定手段により判定された上記綴じ目の方向に応じて、上記ブック原稿の上記綴じ目の近傍部において上記読取センサによる受光量が多くなる領域を特定する特定手段と；
上記ブック原稿の読取画像における、上記特定手段により特定された領域の輝度が低くなるように、当該領域の画像を補正する補正手段と；
を有すること特徴とする画像処理装置。
【請求項２】
請求項１において、
上記補正手段は、上記ブック原稿の読取画像における上記特定手段により特定された領域の輝度が低くなるように、当該領域の画像を補正し、且つ、当該読取画像における上記ブック原稿の綴じ目に対応する綴じ目領域の輝度が高くなるように、当該綴じ目領域の画像を補正することを特徴とする画像処理装置。
【請求項３】
請求項１または２において、
上記読取装置は、原稿に反射させるための光を発光する光源を備え、
上記特定手段は、上記ブック原稿の綴じ目に対する上記読取センサと上記光源との位置に応じて、上記読取センサによる受光量が多くなる上記領域を特定することを特徴とする画像処理装置。
【請求項４】
読取対象の原稿からの反射光を受光する読取センサにより読み取られた読取画像を処理する画像処理方法であって、
上記読取センサを有する読取装置の原稿台上に載置されているブック原稿が、当該読取センサにより読み取られることで得られた読取画像を取得する取得工程と；
上記取得工程において取得された読取画像に基づいて、上記ブック原稿の綴じ目の方向を判定する判定工程と；
上記判定工程において判定された上記綴じ目の方向に応じて、上記ブック原稿の上記綴じ目の近傍部において上記読取センサによる受光量が多くなる領域を特定する特定工程と；
上記ブック原稿の読取画像における、上記特定工程において特定された領域の輝度が低くなるように、当該領域の画像を補正する補正工程と；
を有すること特徴とする画像処理方法。
【請求項５】
請求項４に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００１
【補正方法】変更
【補正の内容】
【０００１】
本発明は、読取対象の原稿からの反射光を受光する読取センサにより読み取られた読取画像を処理する画像処理装置、画像処理方法、およびプログラムに関する。
【手続補正４】
【補正対象書類名】明細書
【補正対象項目名】００２３
【補正方法】変更
【補正の内容】
【００２３】
上記の課題を鑑みて本発明は、ブック原稿の読取画像における、ブック原稿の綴じ目の近傍部において読取センサによる受光量が多くなる領域を、適切に補正することができる画像処理装置、画像処理方法、およびプログラムを提供することを目的とする。
【手続補正５】
【補正対象書類名】明細書
【補正対象項目名】００２４
【補正方法】変更
【補正の内容】
【００２４】
本発明の画像処理装置は、読取対象の原稿からの反射光を受光する読取センサにより読み取られた読取画像を処理する画像処理装置であって、上記読取センサを有する読取装置の原稿台上に載置されているブック原稿が、当該読取センサにより読み取られることで得られた読取画像を取得する取得手段と、上記取得手段により取得された読取画像に基づいて、上記ブック原稿の綴じ目の方向を判定する判定手段と、上記判定手段により判定された上記綴じ目の方向に応じて、上記ブック原稿の上記綴じ目の近傍部において上記読取センサによる受光量が多くなる領域を特定する特定手段と、上記ブック原稿の読取画像における、上記特定手段により特定された領域の輝度が低くなるように、当該領域の画像を補正する補正手段とを有すること特徴とする。
【手続補正６】
【補正対象書類名】明細書
【補正対象項目名】００２５
【補正方法】変更
【補正の内容】
【００２５】
本発明によれば、ブック原稿の読取画像における、ブック原稿の綴じ目の近傍部において読取センサによる受光量が多くなる領域を、適切に補正することができる。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
少なくとも３種の色彩を発光しうる発光体と、
前記発光体が発光する色彩を周期的に変化させる制御手段と、
を含み、
前記制御手段は、前記周期的な色彩変化を、所定のデータに基づいて切り替え、この周期的な色彩変化の切換によって前記所定のデータを表すことを特徴とする発光装置。
【請求項２】
時間の経過に伴って発光する色彩が変化することによって対象物を表すデータを表す発光装置を対象物に付し、前記発光装置の発光する色彩を認識することによって前記対象物を認識すると共に、前記対象物の位置の追尾を行う方法において、
前記発光装置を含む画像を撮影し、前記画像中から、前記発光装置が発光する色彩を認識し、前記データを復元して前記対象物を認識し、且つ、認識した色彩の位置から前記対象物の位置を特定する認識ステップと、
前記発光装置を含む画像を撮影し、前記画像中から、発光装置が発光する色彩の変化を認識してその変化する位置から、前記対象物の位置を追尾する追尾ステップと、
を含み、さらに、
前記認識ステップを１回実行して前記対象物を認識し、その位置と共に所定の記憶手段に記憶し、その後、前記追尾ステップのみを繰り返し実行して、前記対象物の位置として、この追尾ステップで得られた色彩の変化する位置を、前記対象物の位置として前記記憶手段中に格納していくステップと、
を備えることを特徴とする対象物の追尾方法。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
半導体からなる発光素子と、前記発光素子が放つ光が通過する位置に設けられた蛍光体層とを備え、
前記蛍光体層は、透光性樹脂と、前記発光素子が発する光を吸収して蛍光を放つ蛍光体粒子と、一次粒子の平均径が３ｎｍ以上５０ｎｍ以下の超微粒子とからなり、
前記蛍光体粒子は、前記透光性樹脂中に分散しているとともに、真比重が前記透光性樹脂よりも大きい材料からなっていて、中心粒径が０．５μｍ以上３０μｍ以下であり、
前記蛍光体粒子が放つ蛍光と前記発光素子から放たれ前記蛍光体層を通過した光とが加色された光を放つ半導体発光装置。
【請求項２】
前記透光性樹脂が、エポキシ樹脂、ユリア樹脂、シリコーン樹脂、アクリル樹脂、ポリイミド樹脂のいずれかである請求項１に記載の半導体発光装置。
【請求項３】
前記蛍光体粒子の中心粒径が１μｍ以上２０μｍ以下である請求項１または２に記載の半導体発光装置。
【請求項４】
前記蛍光体粒子の真比重が３．０以上４．６５以下である請求項１から３のいずれか１項に記載の半導体発光装置。
【請求項５】
蛍光体粒子濃度が１０重量％以上で８０重量％以下であることを特徴とする請求項１から４のいずれか１項に記載の半導体発光装置。
【請求項６】
前記蛍光体濃度が２０重量％以上で６０重量％以下であることを特徴とする請求項５に記載の半導体発光装置。
【請求項７】
前記蛍光体濃度が３０重量％以上で５０重量％以下であることを特徴とする請求項６に記載の半導体発光装置。
【請求項８】
前記蛍光体層の実質厚みが５０μｍ以上１０００μｍ以下である請求項１から７のいずれか１項に記載の半導体発光装置。
【請求項９】
前記超微粒子の材料が二酸化珪素、又は酸化アルミニウムのいずれかである請求項１から８のいずれか１項に記載の半導体発光装置。
【請求項１０】
前記超微粒子がチキソトロピー付与剤である請求項１から９のいずれか１項に記載の半導体発光装置。
【請求項１１】
前記発光素子は、４３０ｎｍを超え５００ｎｍ以下の波長領域に主発光ピークを有する請求項１から１０のいずれか１項に記載の半導体発光装置。
【請求項１２】
前記蛍光体粒子は、５５０ｎｍ以上６００ｎｍ以下の波長領域に主発光ピークを有する蛍光を放つ請求項１から１１のいずれか１項に記載の半導体発光装置。
【請求項１３】
請求項１から１２のいずれか１項に記載の半導体発光装置において、
前記発光素子を複数備え、
前記蛍光体層は、単一で各前記発光素子の主光取り出し面を覆うことを特徴とする半導体発光装置。
【請求項１４】
前記蛍光体層の上面は平担であり、且つ前記発光素子の主光取り出し面に対して平行であり、
前記発光素子の主光取り出し面上に位置する前記蛍光体層の実質厚みは５０μｍ以上１０００μｍ以下であることを特徴とする請求項１３に記載の半導体発光装置。
【請求項１５】
前記複数の発光素子は、主面上にアノードとカソードとを有する複数の発光ダイオードであって、
前記主光取り出し面は、前記主面と対向する面であることを特徴とする請求項１３に記載の半導体発光装置。
【請求項１６】
前記複数の発光ダイオードが、一つの基板上にフリップチップ接続法によって固定されている請求項１５に記載の半導体発光装置。
【請求項１７】
半導体からなる発光素子と、該発光素子が放つ光が通過する位置に設けられた蛍光体層とを備える半導体発光デバイスの製造方法であって、
透光性樹脂中に、前記蛍光体粒子と、一次粒子の平均径が３ｎｍ以上５０ｎｍ以下の範囲内にある超微粒子とを含有させることにより、蛍光体ペーストを形成する工程と、
前記蛍光体ペーストを、前記発光素子における、前記発光素子が放つ光が通過する位置に塗布する工程と、
前記透光性樹脂を硬化させることにより、前記蛍光体層を形成する工程とを備え、
前記蛍光体粒子は、真比重が前記透光性樹脂よりも大きい材料からなっていて、中心粒径が０．５μｍ以上３０μｍ以下である、半導体発光デバイスの製造方法。
【請求項１８】
前記透光性樹脂が、エポキシ樹脂、ユリア樹脂、シリコーン樹脂、アクリル樹脂、ポリイミド樹脂のいずれかである請求項１７に記載の半導体発光デバイスの製造方法。
【請求項１９】
前記蛍光体層において、蛍光体粒子濃度が１０重量％以上で８０重量％以下であることを特徴とする請求項１７または１８に記載の半導体発光デバイスの製造方法。
【請求項２０】
前記蛍光体層において、蛍光体粒子濃度が２０重量％以上で６０重量％以下であることを特徴とする請求項１９に記載の半導体発光デバイスの製造方法。
【請求項２１】
前記蛍光体層において、蛍光体粒子濃度が３０％重量以上で５０％重量以下であることを特徴とする請求項２０に記載の半導体発光デバイスの製造方法。
【請求項２２】
前記蛍光体ペーストを前記発光素子の実装面を除く周囲に塗布する方法として、フォトリソグラフィー法、スクリーン印刷法、転写法のいずれかが用いられていることを特徴とする請求項１７から２１のいずれか１項に記載の半導体発光デバイスの製造方法。
【請求項２３】
前記蛍光体ペーストを前記発光素子に塗布する方法として、前記蛍光体ペーストを型へ流し込むことを特徴とする請求項１７から２１のいずれか１項記載の半導体発光デバイスの製造方法。
【請求項２４】
前記発光素子を基板上にフリップチップ状態で搭載する工程をさらに備え、
前記蛍光体ペーストを前記発光素子の実装面を除く周囲に塗布する方法として、スクリーン印刷法が用いられていることを特徴とする請求項２２記載の半導体発光デバイスの製造方法。
【請求項２５】
請求項１７から２４のいずれか１項に記載の半導体発光デバイスの製造方法において、
前記発光素子を複数備え、
前記蛍光体層は、単一で各前記発光素子の主光取り出し面を覆い、
前記蛍光体層の上面は平担で、且つ前記発光素子の主光取り出し面に対して平行であり、
前記発光素子の主光取り出し面上に位置する前記蛍光体層の実質厚みは５０μｍ以上１０００μｍ以下であることを特徴とする半導体発光デバイスの製造方法。
【請求項２６】
請求項１７から２５のいずれか１項に記載の半導体発光デバイスの製造方法において、
透光性を有する樹脂がシリコーン樹脂であることを特徴とする半導体発光デバイスの製造方法。
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
複数箇所に接合部を有する第１の金具をカメラ筐体または色分解プリズムに固定し、
複数箇所に接合部を有する第２の金具を固体撮像素子に固定し、
前記カメラ筐体または前記色分解プリズムと前記固体撮像素子との位置を調整して、前記第１の金具と前記第２の金具の各接合部を対向させ、
対向された各接合部の隙間に溶融性金属を充填して凝固させ前記第１の金具と前記第２の金具とを接合する固体撮像素子の取付方法であって、
前記第１の金具または前記第２の金具の各接合部に溶融性金属充填用通路を形成し、
前記溶融性金属充填用通路を形成した前記第１の金具または前記第２の金具の接合部が前記第２の金具または前記第１の金具の上になるように前記第１の金具及び前記第２の金具の各接合部を対峙させ、
前記対峙された各接合部の隙間に前記溶融性金属充填用通路を通して前記溶融性金属をほぼ同時に充填して凝固させ前記第１の金具と前記第２の金具とを接合する
ことを特徴とする固体撮像素子の取付方法。
【請求項２】
接合部である複数の脚部を有し、カメラ筐体または色分解プリズムに固定される第１の金具と、
接合部である複数の脚部を有し、固体撮像素子に固定される第２の金具と、
前記第１の金具と前記第２の金具の対峙する各接合部の間隙に充填されて、前記第１の金具と前記第２の金具とを接合する溶融性金属と、を備える固体撮像素子の取付構造であって、
前記第２の金具の各脚部は溶融性金属充填用通路である切欠きを備え、
前記溶融性金属は前記第１の金具と前記第２の金具の対峙する各接合部の前記間隙と前記切欠きに跨って前記第１の金具と前記第２の金具とを接合することを特徴とする固体撮像素子の取付構造。
【手続補正２】
【補正対象書類名】明細書
【補正対象項目名】発明の名称
【補正方法】変更
【補正の内容】
【発明の名称】固体撮像素子の取付方法および取付構造
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能とを備える撮像装置において、
前記固定時間撮影機能が有効になっている場合は前記プリＲＥＣ機能の選択を禁止し、前記プリＲＥＣ機能が有効になっている場合は前記固定時間撮影機能の選択を禁止するように制御する制御手段を備えることを特徴とする撮像装置。
【請求項２】
撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能とを備える撮像装置において、
前記固定時間撮影機能が有効になっているときに前記プリＲＥＣ機能が有効になるように選択されると前記固定時間撮影機能を無効とし、前記プリＲＥＣ機能が有効になっているときに前記固定時間撮影機能が有効になるように選択されると前記プリＲＥＣ機能を無効とするように制御する制御手段を備えることを特徴とする撮像装置。
【請求項３】
撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能と、第１のプリＲＥＣ実行時間と、前記第１のプリＲＥＣ実行時間よりも短く、かつ前記固定時間撮影機能の撮影時間よりも短い第２のプリＲＥＣ実行時間とを備える撮像装置において、
前記プリＲＥＣ機能のみ有効の際は前記第１のプリＲＥＣ実行時間で撮影し、前記プリＲＥＣ機能及び前記固定時間撮影機能の双方が有効の際は前記第２のプリＲＥＣ実行時間で撮影を行うよう制御する制御手段を備えることを特徴とする撮像装置。
【請求項４】
撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能と、前記固定時間撮影機能の撮影時間よりも短い第１のプリＲＥＣ実行時間と、前記第１のプリＲＥＣ実行時間よりも短い第２のプリＲＥＣ実行時間とを備える撮像装置において、
前記プリＲＥＣ機能及び前記固定時間撮影機能の双方が有効の際であって、前記固定時間撮影機能の撮影時間が任意の時間以上であれば、前記第１のプリＲＥＣ実行時間でプリＲＥＣを実行し、前記固定時間撮影機能の撮影時間が任意の時間未満であれば、前記第２のプリＲＥＣ実行時間でプリＲＥＣを実行するよう制御する制御手段を備えることを特徴とする撮像装置。
【手続補正２】
【補正対象書類名】明細書
【補正対象項目名】０００６
【補正方法】変更
【補正の内容】
【０００６】
上記目的を達成するために、請求項１記載の撮像装置は、撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能とを備える撮像装置において、前記固定時間撮影機能が有効になっている場合は前記プリＲＥＣ機能の選択を禁止し、前記プリＲＥＣ機能が有効になっている場合は前記固定時間撮影機能の選択を禁止するように制御する制御手段を備えることを特徴とする。
請求項２記載の撮像装置は、撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能とを備える撮像装置において、前記固定時間撮影機能が有効になっているときに前記プリＲＥＣ機能が有効になるように選択されると前記固定時間撮影機能を無効とし、前記プリＲＥＣ機能が有効になっているときに前記固定時間撮影機能が有効になるように選択されると前記プリＲＥＣ機能を無効とするように制御する制御手段を備えることを特徴とする。
【手続補正３】
【補正対象書類名】明細書
【補正対象項目名】０００７
【補正方法】変更
【補正の内容】
【０００７】
請求項３記載の撮像装置は、撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能と、第１のプリＲＥＣ実行時間と、前記第１のプリＲＥＣ実行時間よりも短く、かつ前記固定時間撮影機能の撮影時間よりも短い第２のプリＲＥＣ実行時間とを備える撮像装置において、前記プリＲＥＣ機能のみ有効の際は前記第１のプリＲＥＣ実行時間で撮影し、前記プリＲＥＣ機能及び前記固定時間撮影機能の双方が有効の際は前記第２のプリＲＥＣ実行時間で撮影を行うよう制御する制御手段を備えることを特徴とする。
【手続補正４】
【補正対象書類名】明細書
【補正対象項目名】０００８
【補正方法】変更
【補正の内容】
【０００８】
請求項４記載の撮像装置は、撮影画像の記録開始から固定時間経過後に自動的に記録を終了する固定時間撮影機能と、記録停止中に前記撮影画像をバッファリングしておき、記録が開始された際にバッファリングしていた前記撮影画像を所定時間記録するプリＲＥＣ機能と、前記固定時間撮影機能の撮影時間よりも短い第１のプリＲＥＣ実行時間と、前記第１のプリＲＥＣ実行時間よりも短い第２のプリＲＥＣ実行時間とを備える撮像装置において、前記プリＲＥＣ機能及び前記固定時間撮影機能の双方が有効の際であって、前記固定時間撮影機能の撮影時間が任意の時間以上であれば、前記第１のプリＲＥＣ実行時間でプリＲＥＣを実行し、前記固定時間撮影機能の撮影時間が任意の時間未満であれば、前記第２のプリＲＥＣ実行時間でプリＲＥＣを実行するよう制御する制御手段を備えることを特徴とする。